(57)【要約】【課題】駆動装置の振動の影響を受けることなく、エレベータ調速機の作動速度試験を行なえるエレベータ調速機の作動速度試験装置の提供。【解決手段】調速機本体２に取付けられる取付金具６と、この取付金具６に一端が回転自在に取付けられる支持アーム９と、支持アーム９の他端側に固定され、ローラ１１でプーリ３の回転速度を測定する速度測定体１２とを有し、ローラ１１が、速度測定体１２と支持アーム９の自重で付勢され、プーリ３の回転中心を通る水平線よりも上方でプーリ３の外周面に接触する。これにより、支持アーム９と速度測定体１２の自重がローラ１１をプーリ３の外周面に押付ける力となる。【選択図】        図１
2004359404.tif 000002
【特許請求の範囲】
【請求項１】
調速機本体と、この調速機本体に回転自在に取付けられ、ワイヤロープが掛け渡されるプーリと、過速スイッチと、ロープキャッチを備えたエレベータ調速機の作動速度試験装置において、
前記調速機本体に取付けられる取付金具と、この取付金具に一端が回転自在に取付けられる支持アームと、この支持アームの他端側に設けられる支持板に固定され、前記プーリに測定回転子を接触させて前記プーリの回転速度を測定する速度測定体とを有し、
前記測定回転子が、前記速度測定体および支持アームの自重により付勢され、前記プーリの回転中心を通る水平線よりも上方の位置で前記プーリの外周面に接触するように構成したことを特徴とするエレベータ調速機の作動速度試験装置。
【請求項２】
調速機本体と、この調速機本体に回転自在に取付けられ、ワイヤロープが掛け渡されたプーリと、過速スイッチと、ロープキャッチを備えたエレベータ調速機の作動速度試験装置において、
前記調速機本体に取付けられる取付金具と、この取付金具に一端が回転自在に取付けられる支持アームと、この支持アームの他端側に設けられる支持板に固定され、前記プーリに測定回転子を接触させて前記プーリの回転速度を測定する速度測定体とを有し、
前記速度測定体の回動軌跡が、前記プーリの外周面に対して直角に、または直角に近い所定角度で交差するように構成したことを特徴とするエレベータ調速機の作動速度試験装置
【請求項３】
請求項１または２記載のエレベータ調速機の作動速度試験装置において、
前記速度測定体の回転軌跡が前記プーリの外周面と交差する位置を、前記プーリの回転中心を通る水平線より２０度以上上方に設定したことを特徴とするエレベータ調速機の作動速度試験装置。
【請求項４】
請求項１記載のエレベータ調速機の作動速度試験装置において、
前記速度測定体の回転抵抗によって前記測定回転子に発生する力が、前記速度測定体を前記プーリに押付ける方向に働くようにしたことを特徴とするエレベータ調速機の作動速度試験装置。
【発明の詳細な説明】
【０００１】
【発明の属する技術分野】
本発明は、エレベータ調速機の作動速度試験装置に関する。
【０００２】
【従来の技術】
従来、エレベータ調速機本体に取付けられる取付金具と、この取付金具に一端が回転自在に取付けられ、他端側に取付台を回動自在に支持する支持板と、取付台に取付けられ、エレベータ調速機のプーリにそれぞれ接触する各プーリを有する駆動装置および回転速度測定装置と、前記の各プーリがエレベータ調速機のプーリに当接するように支持板を付勢する付勢手段とを備えたエレベータ調速機の作動速度試験装置が提案されている（例えば、特許文献１参照。）。
【０００３】
【特許文献１】
特開平６‐３０５６５３号公報
（段落番号００１２、００１３、図１、図２）
【０００４】
【発明が解決しようとする課題】
ところで、上記した従来技術にあっては、エレベータ調速機の作動速度を試験する際に駆動装置でエレベータ調速機のプーリを駆動し加速するため、駆動装置の駆動力に起因する振動が発生し、この駆動装置とともに支持板に設置される回転速度測定装置も振動するので、正確なエレベータ調速機の作動速度試験が行なえないという問題があった。
【０００５】
本発明は、上記のような従来技術における実状を鑑みてなされたもので、その目的は、エレベータ調速機のプーリを駆動する駆動装置の振動の影響を受けることなく、エレベータ調速機の作動速度試験を行なうことのできるエレベータ調速機の作動速度試験装置を提供することにある。
【０００６】
【課題を解決するための手段】
上記目的を達成するため、本発明の請求項１に係わる発明は、調速機本体と、この調速機本体に回転自在に取付けられ、ワイヤロープが掛け渡されるプーリと、過速スイッチと、ロープキャッチを備えたエレベータ調速機の作動速度試験装置において、前記調速機本体に取付けられる取付金具と、この取付金具に一端が回転自在に取付けられる支持アームと、この支持アームの他端側に設けられる支持板に固定され、前記プーリに測定回転子を接触させて前記プーリの回転速度を測定する速度測定体とを有し、前記測定回転子が、前記速度測定体および支持アームの自重により付勢され、前記プーリの回転中心を通る水平線よりも上方の位置で前記プーリの外周面に接触するように構成した。
【０００７】
このように構成した請求項１に係わる発明では、速度測定体の回動軌跡に沿って測定回転子がプーリの回転中心を通る水平線から上方の位置でエレベータ調速機のプーリの外周面に当接するので、支持アームと速度測定体の自重が測定回転子をプーリの外周面に押付ける力となる。これにより、エレベータ調速機のプーリを駆動する駆動装置の振動の影響を受けることなく、エレベータ調速機の作動速度試験を行なうことができる。
【０００８】
また、上記目的を達成するため、本発明の請求項２に係わる発明は、調速機本体と、この調速機本体に回転自在に取付けられ、ワイヤロープが掛け渡されたプーリと、過速スイッチと、ロープキャッチを備えたエレベータ調速機の作動速度試験装置において、前記調速機本体に取付けられる取付金具と、この取付金具に一端が回転自在に取付けられる支持アームと、この支持アームの他端側に設けられる支持板に固定され、前記プーリに測定回転子を接触させて前記プーリの回転速度を測定する速度測定体とを有し、前記速度測定体の回動軌跡が、前記プーリの外周面に対して直角に、または直角に近い所定角度で交差するように構成した。
【０００９】
このように構成した請求項２に係わる発明では、支持アームで支持する速度測定体の回動軌跡に沿って測定回転子がエレベータ調速機のプーリの外周面に対して直角に、または直角に近い所定角度で当接するので、プーリを駆動装置で駆動し加速しても、速度測定体を回転方向に動かす力が発生せず、測定回転子がプーリの外周面から浮き上がることが防止される。これにより、エレベータ調速機のプーリを駆動する駆動装置の振動の影響を受けることなく、エレベータ調速機の作動速度試験を行なうことができる。
【００１０】
【発明の実施の形態】
以下、本発明のエレベータ調速機の作動速度試験装置の実施の形態を図に基づいて説明する。
【００１１】
図１は本発明の一実施形態に係る作動速度試験装置を備えたエレベータ調速機の正面図、図２は本実施形態の作動速度試験装置を備えたエレベータ調速機の側面図、図３は本実施形態の作動速度試験装置を示す正面図、図４は本実施形態の作動速度試験装置を示す側面図、図５は本実施形態の作動速度試験装置をプーリ直径が大きいエレベータ調速機に対して取付けた状態を示す正面図である。
【００１２】
図１に示すエレベータ調速機１は、調速機本体２と、この調速機本体２に回転自在に取付けられ、図示しないワイヤロープが掛け渡されるプーリ３と、図示しない過速スイッチおよびロープキャッチとを備えている。
【００１３】
そして、本実施形態の作動速度試験装置４は、調速機本体２の上部に装着される固定部５と、この固定部５よび調速機本体２を把持する２個の取付金具６と、これらの取付金具６を調速機本体２に締付け固定するビス７と、取付金具６に形成された第１の支持点８を中心に回動自在に取付けられる支持アーム９と、この支持アーム９の他端側の支持板１０に固定され、プーリ３にローラ（すなわち測定回転子）１１を接触させて回転速度を測定する速度測定体１２とからなっている。
【００１４】
支持アーム９に設けられる第１の支持点８は、速度測定体１２の重心より高い位置に配置されるとともに、プーリ３の大きさに合わせて支持アーム９を支持する位置を変更可能とする第２の支持点８Ａを備えている。
【００１５】
速度測定体１２のローラ１１は、支持アーム９および速度測定体１２の自重でプーリ３に押付けられるとともに、支持アーム９の支持板１０に固定された速度測定体１２の回動軌跡がプーリ３に対して直角に近い所定角度で交差している。また、速度測定体１２の回転軌跡がプーリ３の外周面と交差する位置は、プーリ３の回転中心を通る水平線とのなす角度α（図１参照）が２０度以上に、望ましくは２０度以上でかつ４０度以下の範囲内に設定されている。
【００１６】
このように構成した実施形態では、支持アーム９で支持する速度測定体１２の回動軌跡に沿ってローラ１１がプーリ３の外周面に対して直角に近い所定角度で当接するので、プーリ３を図示しない駆動装置で駆動し加速しても、速度測定体１２を回転方向に動かす力が発生せず、ローラ１１がプーリ３の外周面から浮き上がることが防止される。さらに、速度測定体１２の回動軌跡に沿ってローラ１１がプーリ３の回転中心を通る水平線からかなり２０度以上上方でプーリ３の外周面に当接するので、支持アーム９と速度測定体１２の自重がローラ１１をプーリ３の外周面に押付ける力となる。
【００１７】
また、図５に示すようにプーリ３Ａの直径が比較的大きい場合に、このプーリ３Ａの大きさに合わせて第２の支持点８Ａを使用して支持アーム９を取付ける。これにより、エレベータ調速機１の作動速度試験の際に、支持アーム９がプーリ３の回転方向（図５の矢印Ａで示す方向）とほぼ同一の方向に回動するので、回転抵抗Ｆ１および抗力Ｆ２が発生し，これらの２つの力で合成力Ｆ３が生じるため、速度測定体１２がプーリ３に押付けられる方向へ付勢される。
【００１８】
このように構成した実施形態では、エレベータ調速機１のプーリ３を駆動する駆動装置の振動の影響を受けることなく、エレベータ調速機１の作動速度試験を行なうことができる。
【００１９】
また、本実施形態では、図５に示すようにプーリ３Ａの直径が比較的大きい場合でも、作動速度試験装置４を取付けてエレベータ調速機１の作動速度試験を行なうことができ、その際に、回転抵抗Ｆ１および抗力Ｆ２による合成力Ｆ３で速度測定体１２がプーリ３に押付けられる方向へ付勢されるので、ローラ１１の滑りや飛び跳ねが防止できる。
【００２０】
【発明の効果】
以上説明したように本発明では、エレベータ調速機のプーリを駆動する駆動装置の振動の影響を受けることなく、エレベータ調速機の作動速度を試験することができる。したがって、正確にエレベータ調速機の作動速度試験を行なうことができるという効果がある。
【図面の簡単な説明】
【図１】本発明の一実施形態に係る作動速度試験装置を備えたエレベータ調速機の正面図である。
【図２】本実施形態の作動速度試験装置を備えたエレベータ調速機の側面図である。
【図３】本実施形態の作動速度試験装置を示す正面図である。
【図４】本実施形態の作動速度試験装置を示す側面図である。
【図５】本実施形態の作動速度試験装置をプーリ直径が大きいエレベータ調速機に対して取付けた状態を示す正面図である。
【符号の説明】
１  エレベータ調速機
２  調速機本体
３  プーリ
３Ａ  プーリ
４  作動速度試験装置
５  固定部
６  取付金具
７  ビス
８  第１の支持点
８Ａ  第２の支持点
９  支持アーム
１０  支持板
１１  ローラ（測定回転子）
１２  速度測定体
【図１】
2004359404.tif 000003
【図２】
2004359404.tif 000004
【図３】
2004359404.tif 000005
【図４】
2004359404.tif 000006
【図５】
2004359404.tif 000007